(57)【特許請求の範囲】
【請求項１】
フラットケーブルをコネクタソケットに接続するフラットケーブル用コネクタプラグであって、
前記コネクタプラグの前記コネクタソケットに挿入する側である先端側と対向する後端側に設けられ、先端近傍の両脇に切り欠き形状を有する前記フラットケーブルが挿入されるケーブル挿入口、及び、挿入された前記フラットケーブルが露出する側に設けられ、前記フラットケーブルが正規位置まで挿入されると、前記フラットケーブルに設けられた切り欠き形状と係合し、前記フラットケーブルが保持されるケーブルロック部を有するケーブル収容部と、
先端側に設けられ、前記正規位置まで挿入されたフラットケーブルを前記コネクタソケットに誘導するソケット挿入部と、
前記ケーブル収容部の外周部に一体に形成されるロックばね部を介して移動可能に支持される押圧部と、該押圧部と一体に形成され、前記コネクタソケットの嵌合部に対し取り外し可能に係合される係合突起部とを有するロック部と、
前記ロック部が前記コネクタソケットの嵌合部に着脱される場合、該ロック部の開口部周縁に係合するロック部保持部と、を備えることを特徴とするフラットケーブル用コネクタプラグ。
【請求項２】
前記ケーブル収容部の前記押圧部と重なる位置に設けられた突起部であって、前記押圧部の操作時の前記ロック部の回転を制限する押圧制限部をさらに備えることを特徴とする請求項１に記載のフラットケーブル用コネクタプラグ。
【請求項３】
前記ロック部の先端側の前記係合突起部と対向する側に向かって設けられた突起部であって、前記コネクタソケットへの誤挿入を防止するための誤挿入防止部をさらに備えることを特徴とする請求項１に記載のフラットケーブル用コネクタプラグ。
【請求項４】
前記ケーブルロック部は、前記ケーブル収容部の両側面付近に設けられ、ばね性を有し両側面方向に向いた切り欠き形状に形成されることを特徴とする請求項１に記載のフラットケーブル用コネクタプラグ。
【請求項５】
前記ケーブルロック部は、前記ケーブル収容部の両側面付近に設けられ、ばね性を有し先端方向に向いた切り欠き形状に形成されることを特徴とする請求項１に記載のフラットケーブル用コネクタプラグ。
【請求項６】
前記ケーブルロック部は、前記ケーブル収容部の前記ケーブル挿入口が両側面方向に開き、前記フラットケーブルが正規位置まで挿入されると、元の位置に戻るようにばね性を有するように形成されることを特徴とする請求項１に記載のフラットケーブル用コネクタプラグ。
【発明の詳細な説明】
【技術分野】
【０００１】
本発明は、ＯＡ機器等に使用されるＦＦＣ、ＦＰＣ等のフラットケーブル用コネクタプラグに関し、特に、ケーブル保持構造とコネクタ嵌合ロック構造を有するフラットケーブル用コネクタプラグに係る。
【背景技術】
【０００２】
従来、ＦＦＣ、ＦＰＣ等のフラットケーブル用コネクタとして、視認性の悪い場所でも嵌合でき、嵌合性が向上するように、逆差し防止機能等のついたコネクタプラグをフラットケーブルの先端に取り付け、これをコネクタソケットに着脱自在に接続するタイプが一般的に使用されている。このようなフラットケーブル用コネクタプラグは、フラットケーブルとコネクタプラグを接着する構造、または、２部品以上の部品でフラットケーブルを抑え保持する構造のものが主流である。接着する構造のものは、接着テープをフラットケーブルもしくはコネクタプラグに貼り付け、熱をかけながらプレスしコネクタプラグとフラットケーブルを固定する。
【先行技術文献】
【特許文献】
【０００３】
【特許文献１】特開２００２−００８７８９号公報
【発明の概要】
【発明が解決しようとする課題】
【０００４】
特許文献１には、各ケーブルに導通する複数の導電部を有する絶縁性の基板を金属板からなる第１カバー部材に接着剤あるいは基板の裏面を粘着性に形成することにより固定し、さらに、絶縁部材と、第２カバー部材を組み付けることにより形成されるコネクタプラグであって、第１カバー部材を薄く形成しても強度を保つことができ、極めて薄型に形成できるコネクタプラグが記載されている。
【０００５】
しかしながら、従来の２部品以上の部品でフラットケーブルを固定する構造では、組立工数が多くなり、また、フラットケーブルを接着する構造では、熱によりフラットケーブル端子のピッチずれ等が発生し歩留まりが低下するという問題がある。
【０００６】
従って、本発明は、従来のフラットケーブル用コネクタプラグの問題点を解消するために、ワンピース構造のコネクタプラグを採用し、組立工数の削減と歩留まりの改善を可能とするフラットケーブル用コネクタプラグを提供することを目的とする。
【課題を解決するための手段】
【０００７】
上記課題を解決するために、本発明のフラットケーブルコネクタは、フラットケーブルをコネクタソケットに接続するフラットケーブル用コネクタプラグであって、コネクタプラグのコネクタソケットに挿入する側である先端側と対向する後端側に設けられ、先端近傍の両脇に切り欠き形状を有するフラットケーブルが挿入されるケーブル挿入口、及び、挿入されたフラットケーブルが露出する側に設けられ、フラットケーブルが正規位置まで挿入されると、フラットケーブルに設けられた切り欠き形状と係合し、フラットケーブルが保持されるケーブルロック部を有するケーブル収容部と、先端側に設けられ、正規位置まで挿入されたフラットケーブルをコネクタソケットに誘導するソケット挿入部と、ケーブル収容部の外周部に一体に形成されるロックばね部を介して移動可能に支持される押圧部と、押圧部と一体に形成され、コネクタソケットの嵌合部に対し取り外し可能に係合される係合突起部とを有するロック部と、ロック部がコネクタソケットの嵌合部に着脱される場合、ロック部の開口部周縁に係合するロック部保持部と、を備えることを特徴とする。
【００１０】
また、上記ケーブル収容部の上記押圧部と重なる位置に設けられた突起部であって、上記押圧部の操作時の上記ロック部の回転を制限する押圧制限部をさらに備えるものとしてもよい。
【００１１】
また、上記ロック部の先端側の上記係合突起部と対向する側に向かって設けられた突起部であって、上記コネクタソケットへの誤挿入を防止するための誤挿入防止部をさらに備えるものとしてもよい。
【００１２】
また、上記ケーブルロック部は、上記ケーブル収容部の両側面付近に設けられ、ばね性を有し両側面方向に向いた切り欠き形状に形成されるものとしてもよい。
【００１３】
また、上記ケーブルロック部は、上記ケーブル収容部の両側面付近に設けられ、ばね性を有し先端方向に向いた切り欠き形状に形成されるものとしてもよい。
【００１４】
また、上記ケーブルロック部は、上記ケーブル収容部の上記ケーブル挿入口が両側面方向に開き、上記フラットケーブルが正規位置まで挿入されると、元の位置に戻るようにばね性を有するように形成されるものとしてもよい。
【発明の効果】
【００１５】
本発明によれば、従来のフラットケーブル用コネクタプラグの問題点を解消するために、ワンピース構造のコネクタプラグを採用し、組立工数の削減と歩留まりの改善を可能とするフラットケーブル用コネクタプラグを提供することができる。
【図面の簡単な説明】
【００１６】
【図１】本発明のフラットケーブル用コネクタプラグと、コネクタソケットと、フラットケーブルを同時に示す斜視図である。
【図２】図２（ａ）は、本発明のフラットケーブル用コネクタプラグを示す正面図であり、図２（ｂ）は、上面図であり、図２（ｃ）は、背面図であり、図２（ｄ）は、右側側面図であり、図２（ｅ）は、図２（ｃ）のＩＩｅ−ＩＩｅに示す断面図である。
【図３】図３（ａ）は、本発明のフラットケーブル用コネクタプラグを示す上側斜視図であり、図３（ｂ）は、下側斜視図である。
【図４】本発明のフラットケーブル用コネクタプラグと、フラットケーブルが嵌合した状態を示す上側斜視図である。
【図５】本発明のフラットケーブル用コネクタプラグと、フラットケーブルが嵌合した状態と、嵌合する前の状態を同時に示す上面図である。
【図６】図６（ａ）は、本発明のフラットケーブル用コネクタプラグの背面図であり、図６（ｂ）は、図６（ａ）のＶＩｂ−ＶＩｂに示す断面図である。
【図７】図７（ａ）は、本発明のフラットケーブル用コネクタプラグと、フラットケーブルが嵌合する直前の状態を示す上側斜視図であり、図７（ｂ）は、図７（ａ）のＶＩＩｂ部分を拡大した透過図であり、図７（ｃ）は、図４のＶＩＩｃ−ＶＩＩｃに示すフラットケーブルとケーブルロック部が嵌合する前の状態を拡大して示す断面図である。
【図８】図８（ａ）は、本発明のフラットケーブル用コネクタプラグと、フラットケーブルが嵌合した状態を示す正面図であり、図８（ｂ）は、図８（ａ）のＶＩＩＩｂ−ＶＩＩＩｂに示す断面図である。
【図９】図９（ａ）は、図６（ａ）とは別の形状のコネクタロック部を有する本発明のフラットケーブル用コネクタプラグの背面図であり、図９（ｂ）は、図９（ａ）のＩＸｂ−ＩＸｂに示す断面図である。
【図１０】図１０（ａ）は、図６（ａ）及び図９（ａ）とは更に別の形状のコネクタロック部を有する本発明のフラットケーブル用コネクタプラグとフラットケーブルが嵌合した状態を示す正面図であり、図１０（ｂ）は、背面図であり、図１０（ｃ）は、右側側面図であり、図１０（ｄ）は、図１０（ｃ）のＸｄ−Ｘｄに示す断面図である。
【図１１】図１１（ａ）は、本発明のフラットケーブル用コネクタプラグと、コネクタソケットと、フラットケーブルを嵌合した状態を示す背面図であり、図１１（ｂ）は、図１１（ａ）のＸＩｂ−ＸＩｂに示す断面図である。
【図１２】図１２（ａ）は、図４のＸＩＩａ部分を拡大して示す上面斜視図であり、図１２（ｂ）は、フラットケーブル用コネクタプラグをコネクタソケットに誤挿入した場合の断面図である。
【図１３】図１３（ａ）は、従来のフラットケーブル用コネクタプラグのコネクタ挿入口側からみた正面図であり、図１３（ｂ）は、本発明のフラットケーブル用コネクタプラグのコネクタ挿入口側からみた正面図である。
【発明を実施するための形態】
【００１７】
以下、本発明の実施形態を、図面を参照して説明する。
【００１８】
尚、以下の説明における上下方向の概念は、添付の図面における上下に対応しており、各部材の相対的な位置関係を示すものであって、絶対的な位置関係を示すものではない。また、以下の説明において、便宜的にコネクタの挿入方向を「先端」と示し、コネクタの挿入方向の逆方向を「後端」と示し、左右方向とは、コネクタの挿入方向に対し直交する方向を「左右」を示すこととするが、絶対的な位置関係を示すものではない。
【００１９】
図１は、本発明のフラットケーブル用コネクタプラグ１００と、コネクタソケット２００と、フラットケーブル１０を同時に示す斜視図である。
【００２０】
図１において、フラットケーブル用コネクタプラグ１００は、フラットケーブル１０が挿入された後、コネクタソケット２００に着脱可能に接続される。フラットケーブル１０の先端には、後述する図５に示すように、被覆が外され内部の複数の電極が露出されたコンタクト部１１が形成され、また同様に図５に示すように、フラットケーブル１０の先端近傍の両脇には、切り欠き形状１２が形成される。なお、切り欠き形状１２は、ここでは後端側が斜めに切り欠かれた形状を有しているが、この形状には限定されず、垂直に切り欠かれた形状でも、その他の形状でも構わない。また、切り欠き形状１２は、ケーブルロック部１１２に嵌合できれば、図５に示す位置より先端側でも後端側でも構わない。コネクタプラグ１００は、樹脂で一体に形成されるワンピース構造を有する。コネクタソケット２００は、図示しない回路基板とフラットケーブル１０のコンタクト部１１を接続する金属製のコンタクト端子２０１及び固定金具２０２を有し、それ以外の部分であるハウジング２０３は樹脂で形成される。
【００２１】
図２（ａ）は、本発明のフラットケーブル用コネクタプラグ１００を示す正面図であり、図２（ｂ）は、上面図であり、図２（ｃ）は、背面図であり、図２（ｄ）は、右側側面図であり、図２（ｅ）は、図２（ｃ）のＩＩｅ−ＩＩｅに示す断面図であり、図３（ａ）は、本発明のフラットケーブル用コネクタプラグ１００を示す上側斜視図であり、図３（ｂ）は、下側斜視図である。
【００２２】
図２（ａ）乃至図３（ｂ）において、コネクタプラグ１００には、コネクタソケット２００に挿入する側である先端側と対向する後端側に設けられたケーブル収容部１１０と、コネクタプラグ１００の先端側に設けられ、正規位置まで挿入されたフラットケーブル１０をコネクタソケット２００に誘導するソケット挿入部１２０と、挿入されたフラットケーブル１０が露出する側と対向する側に設けられ、コネクタソケット２００に嵌合するためのロック部１３０とを概略備える。
【００２３】
ケーブル収容部１１０には、後端側にフラットケーブル１０を挿入するケーブル挿入口１１１が形成される。また、ケーブル挿入口１１１に挿入されたフラットケーブル１０は、ケーブル収容部１１０を通過し、先端側に設けられたソケット挿入部１２０まで達する。ソケット挿入部１２０まで達したフラットケーブル１０は、図３（ｂ）に示す下側の面に露出され、コンタクト部１１が表面に現れる。これにより、コネクタプラグ１００が、コネクタソケット２００に接続されたときに、コンタクト部１１がコネクタソケット２００の金属製のコンタクト端子２０１に接続される。フラットケーブル１０がコネクタプラグ１００に挿入される状態を図４、図５に示す。
【００２４】
図４は、本発明のフラットケーブル用コネクタプラグ１００と、フラットケーブル１０が嵌合した状態を示す上側斜視図であり、図５は、本発明のフラットケーブル用コネクタプラグ１００と、フラットケーブル１０が嵌合した状態と、嵌合する前の状態を同時に示す上面図である。
【００２５】
図４、図５に示すように、先端近傍の両脇に切り欠き形状１２が形成されたフラットケーブル１０は、コネクタプラグ１００のケーブル挿入口１１１に挿入され、ケーブル収容部１１０を通過し、ソケット挿入部１２０まで達する。
【００２６】
図２（ａ）乃至図３（ｂ）に戻り、コネクタプラグ１００のケーブル収容部１１０の挿入されたフラットケーブル１０が露出する側の面には、フラットケーブル１０が正規位置まで挿入されると、フラットケーブル１０に設けられた切り欠き形状１２と係合し、フラットケーブル１０が保持されるケーブルロック部１１２が形成される。ケーブルロック部１１２の詳細な形状を図６（ａ）乃至図７（ｃ）に示す。
【００２７】
図６（ａ）は、本発明のフラットケーブル用コネクタプラグ１００の背面図であり、図６（ｂ）は、図６（ａ）のＶＩｂ−ＶＩｂに示す断面図であり、図７（ａ）は、本発明のフラットケーブル用コネクタプラグ１００と、フラットケーブル１０が嵌合する直前の状態を示す上側斜視図であり、図７（ｂ）は、図７（ａ）のＶＩＩｂ部分を拡大した透過図であり、図７（ｃ）は、図４のＶＩＩｃ−ＶＩＩｃに示すフラットケーブル１０とケーブルロック部１１２が嵌合する前の状態を拡大して示す断面図である。
【００２８】
図６（ａ）乃至図７（ｃ）において、ケーブルロック部１１２は、ケーブル収容部１１０の挿入されたフラットケーブル１０が露出する側の面の両側面付近に設けられ、ばね性を有し両側面方向に向いた切り欠き形状に形成される。図６（ｂ）に示すように、ケーブルロック部１１２には、先端側に挿入方向に垂直な壁形状が形成され、後端側に向かい傾斜したテーパ形状が形成される。このため、図７（ｂ）に示すように、フラットケーブル１０がケーブル収容部１１０の後端のケーブル挿入口１１１から挿入されると、それに伴い、ケーブルロック部１１２が下方向に変位する。また、図７（ｃ）に示すように、フラットケーブル１０が正規位置まで挿入されると、フラットケーブル１０の先端近傍の両脇に形成された切り欠き形状１２に、下方向に変位したケーブルロック部１１２がばねの反力で元に戻り嵌合する。このとき、ケーブルロック部１１２は、先端側に挿入方向に垂直な壁形状が形成されるため、嵌合したフラットケーブル１０の切り欠き形状１２が係合し、フラットケーブル１０を引き抜くことが不可能となる。コネクタプラグ１００と、フラットケーブル１０が嵌合した状態の断面図を図８（ｂ）に示す。
【００２９】
図８（ａ）は、本発明のフラットケーブル用コネクタプラグ１００と、フラットケーブル１０が嵌合した状態を示す正面図であり、図８（ｂ）は、図８（ａ）のＶＩＩＩｂ−ＶＩＩＩｂに示す断面図である。
【００３０】
図８（ｂ）に示すように、フラットケーブル１０が挿入され正規位置に達した状態では、ケーブルロック部１１２がフラットケーブル１０の切り欠き形状１２に係合し、フラットケーブル１０の先端はソケット挿入部１２０に達し、コネクタソケット２００に誘導される。
【００３１】
図９（ａ）は、図６（ａ）とは別の形状のケーブルロック部９１２を有する本発明のフラットケーブル用コネクタプラグ９００の背面図であり、図９（ｂ）は、図９（ａ）のＩＸｂ−ＩＸｂに示す断面図である。
【００３２】
図９（ａ）及び図９（ｂ）において、コネクタプラグ９００には、図６（ａ）に示すコネクタプラグ１００と異なり、ケーブル収容部９１０の挿入されたフラットケーブル１０が露出する側の面の両側面側に設けられ、ばね性を有し先端方向に向いた切り欠き形状のケーブルロック部９１２が形成される。図９（ｂ）に示すように、ケーブルロック部９１２には、図７（ｂ）に示すケーブルロック部１１２と同様に、先端側に挿入方向に垂直な壁形状が形成され、後端側に向かい傾斜したテーパ形状が形成される。このため、ケーブルロック部９１２のようにばね性を有する先端方向に向いた切り欠きを形成することによっても、図６（ａ）に示すケーブルロック部１１２と同様の作用効果を奏することができる。
【００３３】
図１０（ａ）は、図６（ａ）及び図９（ａ）とは更に別の形状のコネクタロック部１０１２を有する本発明のフラットケーブル用コネクタプラグ１０００とフラットケーブル１０’が嵌合した状態を示す正面図であり、図１０（ｂ）は、背面図であり、図１０（ｃ）は、右側側面図であり、図１０（ｄ）は、図１０（ｃ）のＸｄ−Ｘｄに示す断面図である。
【００３４】
図１０（ａ）乃至図１０（ｄ）において、コネクタプラグ１０００には、図６（ａ）及び図９（ａ）に示すコネクタプラグ１００、９００と異なり、ケーブル収容部１０１０のケーブル挿入口１０１１が両側面方向に開き、フラットケーブル１０’が正規位置まで挿入されると、元の位置に戻るようにばね性を有するケーブルロック部１０１２が形成される。図１０（ｄ）に示すように、ケーブルロック部１０１２には、左右側面側に向い、先端側に挿入方向に垂直な壁形状が形成され、後端側に向かい傾斜したテーパ形状が形成される。このため、ケーブルロック部１０１２のような形状を形成することによっても、図６（ａ）及び図９（ａ）に示すケーブルロック部１１２、９１２と同様の作用効果を奏することができる。なお、図６（ａ）乃至図１０（ｄ）では、ケーブルロック部１１２、９１２、１０１２をばね性を有するものとしたが、ケーブルロック部をばね性を有さず固定された形状として、フラットケーブル１０が通る隙間を設けるものとしてもよい。
【００３５】
図２（ａ）乃至図３（ｂ）に戻り、ケーブル収容部１１０のケーブル挿入口１１１の周囲の挿入されたフラットケーブル１０が露出する側の面には、長方形状突起部１１３が形成されている。長方形状突起部１１３を設けることにより、操作者の指がコネクタプラグ１００にかかり易くなり、コネクタプラグ１００の取り扱いが容易になる。また、ソケット挿入部１２０の両側面には、挿入方向に向かった四角柱形状のガイド部１２１が形成される。ガイド部１２１は、ソケット挿入部１２０の図２（ｃ）に示す上方にずれた位置に形成されているため、ガイド部１２１は、フラットケーブル１０をコネクタソケット２００に挿入するガイドになると共に逆指し防止機能も有する。
【００３６】
図２（ａ）乃至図３（ｂ）において、ロック部１３０には、先端側のケーブル収容部１１０側にコネクタソケット２００の嵌合部２０５と嵌合するための係合突起部１３１と、後端側にコネクタソケット２００の嵌合部２０５との嵌合を解除するための押圧部１３２が形成される。また、ロック部１３０には、ロック部１３０の両脇を支持し、ロック操作時にねじれ、ロック部１３０を回転させるロック部ばね部１３３が形成される。また、ケーブル収容部１１０のロック部１３０と重なる位置には、ロック部１３０に向って設けられ、ロック部１３０の回転の支点となる回転軸突起部１１５が設けられる。これにより、ロック部１３０は、ロック部ばね部１３３に支持され、回転軸突起部１１５を回転軸として回転する。従って、押圧部１３２を押圧するとロック部１３０が回転し、係合突起部１３１がコネクタソケット２００の嵌合部２０５から係合がはずれ、コネクタプラグ１００がコネクタソケット２００から挿抜可能となる。
【００３７】
図２（ａ）乃至図３（ｂ）において、ケーブル収容部１１０のロック部１３０の係合突起部１３１のある位置の周辺には、コネクタソケット２００に嵌合されたコネクタプラグ１００を抜去する際にロック部１３０に係合し、ロック部１３０の保持力強度、破損強度を高めるための突起部であるロック部保持部１１６が形成される。本実施形態では、ロック部保持部１１６は、ロック部１３０の係合突起部１３１の後端側に隣接する開口部１３５に係合されるコの字形状の突起部として形成されているが、これには限定されず、ロック部１３０に係合し、ロック部１３０の保持力強度、破損強度を高める形状であればこの形状には限定されない。
【００３８】
図２（ａ）乃至図３（ｂ）において、ケーブル収容部１１０の押圧部１３２と重なる位置には、押圧操作時にロック部１３０の回転を制限する突起部である押圧制限部１１４が形成される。これにより、ロック部１３０の過度の回転が制限され、コネクタ嵌合ロック構造の破損が防止される。なお、本実施形態では、押圧制限部１１４は、押圧部１３２と重なる３角形状の２つの突起部として形成されるが、この形状には限定されず、押圧操作時にロック部１３０の回転を制限する形状であればよい。
【００３９】
図２（ａ）乃至図３（ｂ）において、ロック部１３０の先端側の係合突起部１３１と対向する側には、係合突起部１３１と対向する側に向かって設けられ、コネクタソケット２００への誤挿入を防止するための誤挿入防止部１３４が形成される。誤挿入防止部１３４の機能について、図１１（ａ）乃至図１２（ｂ）を使用して説明する。
【００４０】
図１１（ａ）は、本発明のフラットケーブル用コネクタプラグ１００と、コネクタソケット２００と、フラットケーブル１０を嵌合した状態を示す背面図であり、図１１（ｂ）は、図１１（ａ）のＸＩｂ−ＸＩｂに示す断面図であり、図１２（ａ）は、図４のＸＩＩａ部分を拡大して示す上面斜視図であり、図１２（ｂ）は、フラットケーブル用コネクタプラグ１００をコネクタソケット２００に誤挿入した場合の断面図である。
【００４１】
図１１（ａ）乃至図１２（ｂ）に示すように、コネクタプラグ１００がコネクタソケット２００に挿入されるときに、図１２（ｂ）に示すように誤って別の位置に挿入しようとした場合や、逆向きに挿入しようとした場合には、ロック部１３０の先端に形成された誤挿入防止部１３４、及び、コネクタソケット２００のハウジング２０３にコネクタプラグ１００が挿入される側に形成された突起部２０４により誤挿入が防止される。また、上述したように、ガイド部１２１も逆指し防止機能を有する。
【００４２】
図１３（ａ）は、従来のフラットケーブル用コネクタプラグ１３００のコネクタ挿入口側からみた正面図であり、図１３（ｂ）は、本発明のフラットケーブル用コネクタプラグ１００のコネクタ挿入口側からみた正面図である。
【００４３】
図１３（ａ）に示すように、従来の接着タイプのコネクタプラグ１３００では、センターロックのばねを形成しているのは、中央の平板部からである。このため、図１３（ａ）に示す嵌合基準面とケーブル押さえつけ面が撓み、これにより接着面が内側に撓み、ＦＦＣの挿入性に問題が生じる、嵌合部にそりが発生する等の問題が発生する。これに対して、本発明の接着レスのコネクタプラグ１００では、図１３（ｂ）に示すロックつなぎ部と、嵌合基準面と、ケーブル押さえつけ面の三層構造となるため、中央に挟まれた平板部である嵌合基準面は、両側から均等に引っ張られる形状となりそりが発生しない。このため嵌合基準面のそりの改善が可能となる。
【００４４】
以上のように、本発明のフラットケーブル用コネクタプラグによれば、ワンピース構造のコネクタプラグを採用し、従来のフラットケーブル用コネクタプラグの問題点となっていた組立工数の削減と歩留まりの改善を可能とすることができる。
【符号の説明】
【００４５】
１０、１０’  フラットケーブル
１１、１１’  コンタクト部
１２、１２’  切り欠き形状
１００、９００、１０００  コネクタプラグ
１１０、９１０、１０１０  ケーブル収容部
１１１、１０１１  ケーブル挿入口
１１２、９１２、１０１２  ケーブルロック部
１１３  長方形状突起部
１１４  押圧制限部
１１５  回転軸突起部
１１６  ロック部保持部
１２０、９２０、１０２０  ソケット挿入部
１２１  ガイド部
１３０、９３０、１０３０  ロック部
１３１  係合突起部
１３２  押圧部
１３３  ロック部ばね部
１３４  誤挿入防止部
１３５  開口部
２００  コネクタソケット
２０１  コンタクト端子
２０２  固定金具
２０３  ハウジング
２０４  突起部
２０５  嵌合部
【図１】
0006488934.tif 000002
【図２】
0006488934.tif 000003
【図３】
0006488934.tif 000004
【図４】
0006488934.tif 000005
【図５】
0006488934.tif 000006
【図６】
0006488934.tif 000007
【図７】
0006488934.tif 000008
【図８】
0006488934.tif 000009
【図９】
0006488934.tif 000010
【図１０】
0006488934.tif 000011
【図１１】
0006488934.tif 000012
【図１２】
0006488934.tif 000013
【図１３】
0006488934.tif 000014